(57)【特許請求の範囲】
【請求項１】
太陽電池と、この太陽電池によって発電された電力によって駆動される装置と、この装置により駆動され所定の内容を表示するための表示部材を備えた電子機器において、
前記太陽電池は、透明基板と、この透明基板の周縁に沿って設けられ接続部により直列に接続された複数の導電部と、前記透明基板上に適宜の間隔で複数形成されるとともに前記導電部に接続された細線状の光発電セルと、を有する透光形太陽電池であり、
前記表示部材は、前記導電部の内側に配置されることを特徴とする電子機器。
【請求項２】
前記表示部材には液晶ディスプレイが含まれることを特徴とする請求項１に記載の電子機器。
【請求項３】
前記表示部材を前記透明基板の裏面側に設けたことを特徴とする請求項１又は２に記載の電子機器。
【請求項４】
前記電子機器のケースの上側に前記透光形太陽電池を配置し、前記ケース内における前記透光形太陽電池の下方に前記装置を配置するとともに、前記装置と前記ケースとの間に空間を形成し、かつ、前記電子機器の下側に透明部材を配置して前記電子機器を上側から下側まで見透せるようにしたことを特徴とする請求項１〜３のいずれかに記載の電子機器。
【請求項５】
前記電子機器のケースの上側に透明部材を配置し、前記ケース内における前記透明部材の下方に前記装置を配置するとともに、前記装置と前記ケースとの間に空間を形成し、かつ、前記電子機器の下側に前記透光形太陽電池を配置して前記電子機器を上側から下側まで見透せるようにしたことを特徴とする請求項１〜３のいずれかに記載の電子機器。
【請求項６】
前記透明部材を、前記透光形太陽電池にしたことを特徴とする請求項４又は５に記載の電子機器。
【請求項７】
前記透明基板に設けた前記導電部を、見切り部材によって隠したことを特徴とする請求項１〜６のいずれかに記載の電子機器。
【請求項８】
前記電子機器が時計で、前記表示部材は時刻を表示する時刻表示部材を含むことを特徴とする請求項１〜７のいずれかに記載の電子機器。
【請求項９】
前記表示部材には、指針と文字盤によって時刻表示を行うアナログ表示部材が含まれ、前記透光形太陽電池を前記文字盤より上に設けたことを特徴とする請求項８に記載の電子機器。
【請求項１０】
前記装置が前記アナログ表示部材の指針を駆動させるためのムーブメントであって、前記透明基板が前記ムーブメントの外周よりも大きいことを特徴とする請求項９に記載の電子機器。
【請求項１１】
前記透光形太陽電池を、前記指針よりも上に設けたことを特徴とする請求項９又は１０に記載の電子機器。
【請求項１２】
前記文字盤の目盛りを、前記透明基板の表面又は裏面に設けたことを特徴とする請求項９〜１１のいずれかに記載の電子機器。
【請求項１３】
前記透明基板が前記時計の風防ガラスであることを特徴とする請求項７〜１２のいずれかに記載の電子機器。
【請求項１４】
前記時計のケースと前記ムーブメントとを一つ又は複数のリブで連結して、前記ムーブメントを前記ケースの中央側で支持させたことを特徴とする請求項１０〜１３のいずれかに記載の電子機器。
【請求項１５】
前記ケースは、外装ケースとこの外装ケースの内側に嵌め込まれる内ケースとを有し、前記内ケースに前記リブを形成したことを特徴とする請求項１４に記載の電子機器。
【請求項１６】
前記リブの内部を通して前記透光形太陽電池から前記ムーブメントに電力を供給するための導電部材を配置したことを特徴とする請求項１４又は１５に記載の電子機器。
【請求項１７】
前記リブの内部を挿通して巻真を設けたことを特徴とする請求項１４〜１６のいずれかに記載の電子機器。
【請求項１８】
前記導電部材を、巻真を挿通させたリブとは異なるリブを通して設けたことを特徴とする請求項１７に記載の電子機器。
【請求項１９】
前記透明基板の前記導電部と前記導電部材とを、接続部材で接続し、この接続部材は、前記導電部の出力端子に付勢される第１の接触部と、前記導電部材に付勢される第２の接触部とを有することを特徴とする請求項１６〜１８のいずれかに記載の電子機器。
【請求項２０】
前記太陽電池は前記ケース内に嵌め込まれる太陽電池保持部材に保持され、前記接続部材は前記太陽電池保持部材に設けられ、前記第１の接触部は前記太陽電池を受け取る前記太陽電池保持部材の受け部で、前記太陽電池の前記導通部の出力端子と接触し、前記第２の接触部は、前記太陽電池保持部材を前記ケース内に収容したときに前記導電部材に接触することを特徴とする請求項１９に記載の電子機器。
【請求項２１】
前記アナログ表示部材の前記指針のうち、少なくとも分を表示する分針を、前記ケースと前記ムーブメントとの間の前記空間の上方まで延長したことを特徴とする請求項１０〜２０のいずれかに記載の電子機器。
【請求項２２】
前記ケースに、前記透明基板よりも小さい内径を有する部分を設け、この部分で前記透明基板に設けた前記導電部を隠すようにしたことを特徴とする請求項１４〜２１のいずれかに記載の電子機器。
【発明の詳細な説明】
【０００１】
【発明の属する技術分野】
本発明は、太陽電池を備え、この太陽電池によって発電された電力によって駆動される装置を有する電子機器に関し、特に、細線状の光発電セルを有する透明な太陽電池を利用することによって、デザインの多様化を可能にした電子機器に関する。
【０００２】
【従来の技術】
太陽電池を備え、この太陽電池を電源として動作する装置を内蔵した電子機器がよく知られている。
ところで、太陽電池は、光を受けて発電をする光発電セルが、通常は暗褐色などの不透明な材質のもので形成されているため、ディジタル表示部材やアナログ表示部材の上に太陽電池を設けることはできなかった。
そのため、ディジタル表示部材やアナログ表示部材を備えた電子機器に太陽電池を装着しようとすると、これら表示部材を避けて装着しなければならず、見栄えが悪くなるばかりか、電子機器がデザイン上の制約を受けることになる。
【０００３】
このような問題を解決するために、細線状の光発電セルを規則的な間隔で透明基板の上に形成することによって透明にした太陽電池を利用したものが、例えば実開昭５７−９４９６４号公報などで知られている。
この公報に記載の太陽電池は、透明基板上に光発電セルを十分な細さになるようにエッチングして、太陽電池を人間の視覚的範囲内で透明に見えるようにしたものである。
しかしながら、この公報に記載された電子機器は、透明基板上に単一の光発電セルを一筆書き状に形成して太陽電池を構成しているため、電子機器の作動に必要な十分な電力を前記太陽電池からは実質的に得ることができず、未だ実現されるには至っていない。
【０００４】
また、近年では、内部が透けて見えるスケルトンが流行しており、時計においても、遊び心から、より透明性の高いものが求められようになってきている。
しかしながら、太陽電池を利用している従来の時計では、不透明であるという太陽電池の性質上の理由及び太陽電池の有効面積を小さくすると十分な起電力が得られないという機能上の理由から、上記したような要求に応えることは困難であった。
【０００５】
【発明が解決しようとする課題】
本発明は上記の問題点にかんがみてなされたもので、光発電セルをきわめて細くすることによって透明性を向上させ、かつ、電子機器を作動させるのに十分な起電力を得ることのできる太陽電池を用いることによって、前記電子機器のデザイン選択の自由度を大幅に向上させ、利用者の遊び心を満足することのできる電子機器を提供することを目的とする。
【０００６】
【課題を解決するための手段】
上記課題を解決するため、本発明は、太陽電池と、この太陽電池によって発電された電力によって駆動される装置と、この装置により駆動され所定の内容を表示するための表示部材を備えた電子機器において、前記太陽電池は、透明基板と、この透明基板の周縁に沿って設けられ接続部により直列に接続された複数の導電部と、前記透明基板上に適宜の間隔で複数形成されるとともに前記導電部に接続された細線状の光発電セルと、を有する透光形太陽電池であり、前記表示部材は、前記導電部の内側に配置される構成としてある。
この構成によれば、透明基板に細線状の光発電セルを適宜間隔で複数形成することにより、光発電セルを視認しにくくして透明な太陽電池を得ることができる。
光発電セルの間隔は、等間隔とするのが好ましい。このようにすることで、より透明性の高い太陽電池を得ることができる。
また、複数の導電部を直列に接続し、この導電部に前記光発電セルを接続することで、電子機器の動作に必要な十分な起電力を得ることが可能になる。
【０００７】
前記細線状の光発電セルを各前記導電部から前記透明基板を横断する方向に延ばして形成し、前記導電部の近傍まで延長することで、光発電セルを形成しない部分を透明基板周縁のきわめて小さい領域に限定することができ、透光形太陽電池の色ムラを緩和することができる。
上記したような透光形太陽電池を用いることで、太陽電池を電子機器の表示部材より上方に配置することが可能になり、デザイン選択の自由度を高めることができる。
【０００８】
前記表示部材は液晶ディスプレイでもよく、この液晶ディスプレイを前記透明基板の裏面に設けてもよい。また、透光形太陽電池と一体に形成してもよい。
また、前記電子機器のケースの上側に前記透光形太陽電池を配置し、前記ケース内における前記透光形太陽電池の下方に前記装置を配置するとともに、前記装置と前記ケースとの間に空間を形成し、かつ、前記電子機器の下面側に透明部材を配置して前記電子機器を上側から下側まで見透せるようにしてもよい。
この場合は、前記ケースの下側にも前記透光形太陽電池を配置してもよい。また、前記ケースの下側のみに透光形太陽電池を配置してもよい。
【０００９】
本発明は、時計に用いることで時計におけるデザイン選択の自由度を向上させることができる。
前記時計は、アナログ時計でもよいしディジタル時計でもよい。
透光形太陽電池を用いることで、太陽電池を、アナログ時計の指針よりも上に設けることができる。
【００１０】
また、アナログ時計の文字盤の目盛りを、前記透明基板の表面又は裏面に設けてもよい。
この時計においても、時計のケースの表側に前記透光形太陽電池を配置し、前記ケース内における前記透光形太陽電池の下方に前記アナログ表示部材の指針と、この指針を駆動させるためのムーブメントを配置するとともに、前記ムーブメントと前記ケースとの間に空間を形成し、かつ、前記時計の下面側に透明板を配置して前記時計を上側から下側まで見透せるようにすることができる。
この場合、前記透明基板の大きさを前記ムーブメント及び前記空間を覆う大きさにすることができる。
【００１１】
また、前記ケースの表側だけでなく裏蓋側にも前記透光形太陽電池を配置してもよい。なお、前記ケースの裏蓋側のみに前記透光形太陽電池を配置するようにしてもよい。
さらに、前記ケースと前記ムーブメントとを一つ又は複数のリブで連結して前記ムーブメントを前記ケースの中央側で支持させるように構成してもよい。
この場合は、前記リブの内部を通して前記透光形太陽電池から前記ムーブメントに電力を供給するための導電部材を配置するとよい。
特に、前記透明基板の前記導電部と前記導電部材とを接続部材で接続し、この接続部材は、前記導電部の出力端子に付勢される第１の接触部と、前記導電部材に付勢される第２の接触部とを有するように構成するとよい。
このような接続部材を用いることで、太陽電池の組み付けが容易になるうえ、太陽電池と導電部材とを確実に接続することができる。
また、前記アナログ表示部材の前記指針のうち、少なくとも分を表示する分針を、前記ケースと前記ムーブメントとの間の前記空間の上方まで延長するとよい。これにより、時刻を時計の裏側からも知ることが可能になる。
【００１２】
【発明の実施の形態】
本発明の好適な実施形態を、図面を参照しながら詳細に説明する。
図１は、本発明の電子機器に使用される透光形太陽電池の平面図である。
透光形太陽電池１０（以下、太陽電池１０と記載する）は、ガラスやアクリル板等の透明性の高い透明基板１２を基材として形成される。図１に示す太陽電池１０は円形状の透明基板１２を基材としているが、透明基板１２としては、この太陽電池１０を使用する電子機器の表示部材２２（図１中仮想線で示す）の形状に合わせて、円形、楕円形、矩形、多角形及び不定形等、種々の形状のものを用いることができる。
【００１３】
透明基板１２の表面には、その周縁に沿って、複数（この実施形態では四つ）の導電部１４１，１４２，１４３，１４４が配置される。これら四つの導電部１４１〜１４４は、接続部１５によって直列に接続されている。四つの導電部１４１〜１４４のうち、両端に位置にする導電部１４１，１４４には、その端部に、太陽電池１０から電力を取り出すための出力端子１６ａ，１６ｂが形成されている。導電部１４１，１４２，１４３，１４４は、この太陽電池１０が使用される電子機器の表示部材２２よりも外側に配置するのが好ましい。
【００１４】
なお、導電部１４１〜１４４及び接続部１５は、銅やアルミ等の薄い導電膜を透明基板１２上にエッチングすることによって形成することができるが、銅箔やアルミ箔などの薄箔を透明基板１２上に貼り付けて形成してもよい。また、銅やアルミ等に代えて、透明基板１２上に透明な導電材料を塗布して形成してもよい。
【００１５】
また、透明基板１２の表面には、隣合う導電部１４１，１４４又は隣合う導電部１４２，１４３のいずれか一方の導電部（例えば、導電部１４１）から、透明基板１２を横断して、対応する他方の導電部（例えば、導電部１４４）まで、直線状の光発電セル１８が平行に複数本形成されている。光発電セル１８は不等間隔で形成してもよいが、この実施形態では、太陽電池１０の透明性をより高くするために、等しい間隔ｓで形成されている。この間隔ｓ及び間隔ｓに対する光発電セル１８の線幅は、光発電セル１８を外観上目立たないようにして太陽電池１０の透明性を高くすることができ、かつ、太陽電池１０によって電子機器を動作させるのに必要な起電力を得ることができるものであるのがよい。例えば、間隔ｓは約０．１ｍｍ、この間隔ｓに対する線幅が３％〜３０％、好ましくは５％〜２０％の範囲内であるのがよい。
【００１６】
なお、図１で示す光発電セル１８は、平行な直線状に形成されているが、これに限らず、波形、放射状、半円状、梯子状等、種々の形態に形成することが可能である。透明基板１２の形状や電子機器を動作させるのに必要な起電力等を考慮して、最適な光発電セル１８の形成形態を選択するのが好ましい。
【００１７】
光発電セル１８の一端は、光発電セル１８の延長線上にある二つの導電部１４１，１４２又は導電部１４３，１４４のいずれか一方に接続される。図１に示すように、導電部１４１，１４２又は導電部１４３，１４４に接続される光発電セル１８を交互に配置して、各導電部１４１，１４２，１４３，１４４に接続される光発電セル１８の総面積が、それぞれ等しくなるようにするのが好ましい。
導電部１４１，１４２，１４３，１４４のうち、一つの導電部に接続された光発電セル１８によって発電される電圧が約０．４Ｖ〜０．６Ｖであれば、四つの導電部１４１，１４２，１４３，１４４を直列に接続することで、電子機器を駆動させるのに十分な約１．６Ｖ〜２．４Ｖの電圧を得ることができる。
このように、光発電セル１８を接続した導電部を複数設け、これらの導電部を直列に接続することで、電子機器を動作させるのに十分な電圧を得ることができる。
【００１８】
光発電セル１８の他端は、その延長線上にある他方の導電部の近傍まで延びている。例えば、一端が導電部１４３に接続された光発電セル１８は、透明基板１２を横切り、電子機器の表示部材２２を越えて、導電部１４３に向かい合う他方の導電部１４２の手前まで延びている。光発電セル１８の他端と他方の導電部との間のギャップｇは、可能な限り狭いものであることが好ましい。ギャップｇには光発電セル１８が形成されず、透明度の高い部分であるから、このような透明度の高いギャップｇが透明基板１２の周縁に集まることで、太陽電池１０に色ムラができやすくなるからである。
【００１９】
図２は、上記構成の太陽電池１０を、電子機器の一例である腕時計に利用した実施形態にかかり、腕時計の平面図である。
この腕時計２０の表示部材２２は、指針と文字盤とを有するアナログ表示部材である。
【００２０】
表示部材２２は、時刻を表す時針２４、分を表す分針２６及び秒を表す秒針２８とからなる指針と、表示部材２２の周縁に沿って配置された時刻を表示するための文字，模様等からなる目盛り２３を有する文字盤とからなる。
この実施形態では、図１の太陽電池１０が、表裏を反転させて腕時計２０に取り付けられる。すなわち、太陽電池１０は、導電部１４１，１４２，１４３，１４４及び光発電セル１８を形成した表面を下に向けた状態で、腕時計２０に取り付けられる。また、この実施形態の太陽電池１０は、腕時計２０の表示部材２２よりも大きく形成されている。太陽電池１０の導電部１４１〜１４４は、外装ケース３０の内側に張り出し形成された見切り部３０ａによって、外側から容易に見ることができないように隠されている。
【００２１】
この実施形態の腕時計２０は、太陽電池１０を構成する透明基板１２の裏面に、時刻を表す目盛り２３が刻印又は印刷等されている。したがって、この実施形態では、透明基板１２の裏面と目盛り２３とで、アナログ表示部材の文字盤を形成している。もちろん、目盛り２３は透明基板１２の裏面に限らず、表面に設けるものとしてもよい。また、目盛り２３を光発電セルで形成してもよい。
時針２４，分針２６及び秒針２８を駆動させるムーブメント４２は腕時計２０の中央に配置され、外装ケース３０の内周面から延びる４つのリブ部分１９ａ，１９ｂ，１９ｃ，１９ｄによって支持されている。リブ部分１９ａ，１９ｂ，１９ｃ，１９ｄは、それぞれ、時針２４が１２時、３時、６時及び９時を指す位置に設けられていて、この腕時計２０の表示部材２２の一部を構成している。
【００２２】
なお、ムーブメント４２を腕時計２０の中央で支持することができるのであれば、リブの数は４本に限らず、１本〜３本又は５本以上としてもよい。
リブ部分１９ａ，１９ｂ，１９ｃ，１９ｄの間には、腕時計２０の径方向に拡がり、かつ、垂直方向に貫通する４つの空間部３２が形成されている。そして、この腕時計２０では、裏蓋としてガラス板等の透明な基板を用いることで、空間部３２を通して、腕時計２０を上側から下側まで（あるいは下側から上側まで）見通すことが可能になる。
【００２３】
この腕時計２０の詳細を、図３及び図４〜図６を参照しながら説明する。
図３は、この腕時計の図２におけるＩ−Ｉ方向断面図、図４〜図６は、この腕時計の分解斜視図である。
図３及び図４に示すように、外装ケース３０の上側には、風防ガラス３４，パッキン３５、太陽電池１０及び太陽電池保持部材３６が取り付けられる。
【００２４】
外装ケース３０の下側には、図３，図５及び図６に示すように、裏蓋としての風防ガラス５６，押さえ部材５８，ムーブメント保持部材５０，中枠４４，ムーブメント支持部材４０及び見切りリング３８が取り付けられる。
以下、外装ケース３０の上側に取り付けられる部材から順に詳しく説明する。
透明基板１２の裏面（図３において上側の面）には、この腕時計２０の文字盤を構成する時刻表示用の目盛り２３が印刷、刻印又は貼り付け等により、予め形成されている。太陽電池１０は、リング状の太陽電池保持部材３６に保持されて、外装ケース３０に上側から嵌め込まれる。太陽電池保持部材３６の内周面には、太陽電池１０の周縁と係合して太陽電池１０を受ける、段付き状の受け部３６ａが形成されている。そして、太陽電池保持部材３６の上方から太陽電池１０を太陽電池保持部材３６に嵌め込むと、太陽電池１０の周縁が受け部３６ａに係合して、太陽電池保持部材３６に保持される。
【００２５】
太陽電池１０の円周の一部には、回り止めのための切欠１７が形成されていて、この切欠１７に係合する切欠係合部３６ｂが、太陽電池保持部材３６に形成されている。切欠１７が切欠係合部３６ｂに係合するように太陽電池１０を太陽電池保持部材３６に嵌め込むことで、太陽電池保持部材３６に対する太陽電池１０の回転を防止することができる。
【００２６】
太陽電池保持部材３６の切欠係合部３６ｂを形成した部位には、受け部３６ａから太陽電池保持部材３６の他側に貫通する溝３７が形成されている。この溝３７には、太陽電池１０の電力をムーブメント４２等に供給するための接続部材６０が配置される。この接続部材６０の一側には、太陽電池１０を太陽電池保持部材３６とともに外装ケース３０の内部に組み込んだときに、太陽電池１０の導電部１４１，１４４に形成された出力端子１６ａ，１６ｂ（図１参照）に押しつけられる第１の接触部としての二つの接触子６１，６２を有している。この接触子６１，６２は、、出力端子１６ａ，１６ｂとの接触状態を確実に確保して太陽電池１０からムーブメント４２への電力の供給を保証するように、板ばね状に形成されている。
【００２７】
接続部材６０の他側には、接触子６１と導通する接触子６３及び接触子６２と導通する接触子６４が設けられている。この接触子６３，６４は、導電パターン４６の一部に形成された図示しない正側の入力端子と負側の入力端子に押しつけられた状態で確実に接触するように、板ばね状に形成されている。このように、各接触子６１〜６４を板ばね状に形成することで、太陽電池１０と導電パターン４６とを確実に接続状態にすることができるばかりでなく、腕時計２０が大きな衝撃を受けても、この接続状態を維持することができる。
上記した溝３７及び接続部材６０は、太陽電池保持部材３６の内側に嵌め込まれる後述の見切りリング３８によって、外部からは見えないように隠される。
【００２８】
外装ケース３０の内面には、鍔状の受け部３０ａが形成されていて、太陽電池１０を保持した太陽電池保持部材３６を上方から外装ケース３０に嵌め込むと、この受け部３０ａによって太陽電池保持部材３６が外装ケース３０内で支持される。そして、太陽電池１０の上にパッキン３５を載せ、パッキン３５を介して外装ケース３０に風防ガラス３４を嵌め込んで固定する。もちろん、風防ガラス３４は、接着材等で外装ケース３０に固定してもよい。これで、腕時計２０の上側部分が完成する。
【００２９】
次に、外装ケース３０の下側に取り付けられる部材について説明する。
見切りリング３８は、太陽電池保持部材３６の内側に嵌め込まれて太陽電池保持部材３６の内周面を隠す見切り部３８ａと、外装ケース３０の内周面とほぼ同じ外径を有する鍔部３８ｂとを有する。下側から見切りリング３８を外装ケース３０の内部に挿入すると、鍔部３８ｂの外周面が外装ケース３０の内周面に当接して、見切りリング３８が腕時計２０の内部で位置決めされる。
ムーブメント４２を支持するリング状のムーブメント支持部材４０は、見切りリング３８の下に配置される。ムーブメント支持部材４０は、外装ケース３０の内径よりも若干小さい外径を有する外リング部４０ｂと、ムーブメント４２を支持する円盤状の支持部４０ａとを有している。支持部４０ａの表面は、通常の腕時計の文字盤と同様に表面仕上げがなされている。支持部４０ａの径は、腕時計２０の少なくとも分針２６の長さよりも小さいものであることが好ましい。また、時針２４の長さよりも小さいものであることがより好ましい。
【００３０】
支持部４０ａと外リング部４０ｂとは、この腕時計２０の１２時，３時，６時及び９時の位置に形成された四つのリブ４１によって連結されている。リブ４１の断面形状は下向きコの字状に形成され、この下向きコの字状の部分が、通路４１ａを形成している。
【００３１】
なお、支持部４０ａと外リング部４０ｂとをしっかりと連結することができるのであれば、リブ４１の個数は四つに限らず一つ〜三つ又は五つ以上であってもよい。また、リブ４１を設ける位置も上記の位置に限られず、腕時計２０のデザイン等を考慮して任意適当な位置を選択することができる。
【００３２】
ムーブメント支持部材４０に下側から取り付けられる中枠４４は、ムーブメント４２が嵌め込まれるムーブメント嵌入部４４ｃを有する内リング部４４ａと、この内リング部４４ａの周囲に形成された外リング部４４ｂと、内リング部４４ａと外リング部４４ｂとを連結するリブ４５とを有している。内リング部４４ａの外形は、ムーブメント支持部材４０の支持部４０ａの下面に取り付けられたムーブメント４２とリブ４１の端部との間の隙間４１ｂに嵌まり込むように形成される。
また、外リング部４４ｂは、外装ケース３０の内周面に内接し、かつ、ムーブメント支持部材４０の外リング部４０ｂに外接する大きさに形成されている。さらに、リブ４５は、ムーブメント支持部材４０のリブ４１の通路４１ａ内に嵌め込まれるように形成される。中枠４４の四つのリブ４５のうち、腕時計２０の３時の位置に位置するリブ４５には、リューズ４８の巻真４９が挿通できる下向きコの字状の通路４５ａが形成されている。
【００３３】
ムーブメント保持部材５０は、ムーブメント支持部材４０の外リング部４０ｂと同じ外形を有する外リング部５０ｂと、中枠４４の内リング部４４ａが嵌め込まれる孔５０ｃを有し、かつ、ムーブメント支持部材４０の支持部４０ａの外径と同じ外径を有するリング状の内リング部５０ａとを有している。内リング部５０ａと外リング部５０ｂとは、ムーブメント支持部材４０のリブ４１と同じ位置に設けられた四つのリブ５１によって連結されている。リブ５１の断面形状は上向きコの字状に形成され、この上向きコの字状の部分に、中枠４４のリブ４５が嵌め込まれる通路５１ａが形成されている。
【００３４】
上記のように形成されたムーブメント支持部材４０とムーブメント保持部材５０とは、中枠４４を真ん中に嵌め込んだ状態で重ね合わされる。すなわち、中枠４４のリブ４５を、ムーブメント支持部材４０の通路４１ａ及びムーブメント保持部材５０の通路５１ａに位置合わせした状態で、ムーブメント支持部材４０の隙間４１ｂ（図５参照）とムーブメント保持部材５０の内リング部５０ａの孔５０ｃに、中枠４４の内リング部４４ａを嵌め込む。これにより、ムーブメント支持部材４０の外リング部４０ｂ及びムーブメント保持部材５０の外リング部５０ｂが、中枠４４の外リング部４４ｂの内側に嵌め込まれる。
そして、ムーブメント支持部材４０のリブ４１、中枠４４のリブ４５及びムーブメント保持部材５０のリブ５１が、腕時計２０のリブ部分１９ａ〜１９ｄを形成する。また、腕時計２０の３時の位置に位置するムーブメント支持部材４０の通路４１ａ及びムーブメント保持部材５０の通路５１ａが、リブ部分１９ｂの内部通路４３ｂ（図３参照）を形成し、９時の位置に位置する通路４１ａ及び通路５１ａがリブ部分１９ｄの内部通路４３ｄを形成する。
【００３５】
図７は、ムーブメント支持部材４０、中枠４４及びムーブメント保持部材５０を組み付けた状態におけるリブ部分１９ｂ，１９ｃの断面図で、図７（ａ）は図２のII-II断面図、図７（ｂ）は図２のIII-III断面図である。
図７（ａ）及び図７（ｂ）に示すように、中枠４４のリブ４５が、ムーブメント支持部材４０のリブ４１の通路４１ａ及びムーブメント保持部材５０のリブ５１の通路５１ａの双方に嵌まり込むことで、ムーブメント支持部材４０及びムーブメント保持部材５０が相対的に回転しないようになっている。
【００３６】
また、腕時計２０の３時の位置に位置するリブ部分１９ｂの内部通路４３ｂを通して巻真４９が設けられ、腕時計２０の９時の位置に設けられたリブ部分１９ｄの内部通路４３ｄに、太陽電池１０の電力をムーブメント４２に供給するためのシート状の導電パターン４６が設けられる。この実施形態では、この導電パターン４６が導電部材を形成する。導電パターン４６は、リブ部分１９ｄを構成する中枠４４のリブ４５の上に貼り付けられている。
なお、巻真４９と導電パターン４６とは、図７（ａ）（ｂ）に示すように別々のリブ部分１９ｂ，１９ｄに設けるものとしてもよいが、同一のリブ部分、例えば、巻真４９が挿通するリブ部分１９ｂに設けるものとしてもよい。
【００３７】
この実施形態では、上記のように組み立てられたムーブメント支持部材４０，中枠４４及びムーブメント保持部材５０が内ケースを構成する。そして、この内ケースを、下方側から外装ケース３０の中に嵌め込む。この後、外装ケース３０の下側から、Ｏリング５７を介して、ねじ部５８ａを有するリング状の押さえ部材５８を外装ケース３０に螺入する。
【００３８】
これにより、ムーブメント支持部材４０、ムーブメント４２、中枠４４及びムーブメント保持部材５０が外装ケース３０内で固定される。また、このとき、導電パターン４６の図示しない正側の入力端子と負側の入力端子に、既に外装ケース３０の上側に組み込まれている太陽電池保持部材３６の接続部材６０の接触子６３，６４が接触し、太陽電池１０からムーブメント４２に電力を供給可能な状態になる。
なお、ムーブメント４２の裏面には、所定の事項を記入した銘盤５４を貼り付けておく。
【００３９】
リング状の押さえ部材５８の開口には、パッキン５９を介して裏面側の風防ガラス５６が嵌め込まれ、固定される。この実施形態の腕時計２０は、Ｏリング５７，パッキン３５及びパッキン５９によって、防水性が保たれる。
なお、風防ガラス５６は、パッキン５９以外にも、接着材等によって外装ケース３０に固定してもよい。
このようにして、完成した腕時計は、３時、６時、９時及び１２時の位置に設けられたリブ部分１９ａ〜１９ｄの間に、腕時計２０の径方向に拡がり、かつ、垂直方向に貫通する空間部３２が形成される。さらに、腕時計２０の裏蓋にも透明な風防ガラス５６が用いられていることから、上側から下側までを見通すことのできる斬新なデザインを得ることができる。
【００４０】
なお、太陽電池１０を腕時計２０の表側に設ける代わりに、裏蓋側（風防ガラス５６側）に設けるものとしてもよい。また、裏蓋側（風防ガラス５６側）に、太陽電池１０と同様の太陽電池を付加的に設けてもよい。
裏蓋側にも空間部３２を透過した光が達するので、裏蓋側に設けた前記太陽電池によっても起電力が得られる。
特に、表側と裏蓋側の両方に太陽電池を設ければ、表側の太陽電池１０の起電力を小さくしても、その分を裏蓋側の太陽電池の起電力で補うことができるようになるので、太陽電池１０の光発電セル１８の線幅をさらに小さく、あるいは間隔ｓをさらに広くして、太陽電池１０の透明度を高めることができる。
【００４１】
この実施形態の腕時計２０は、図２及び図５に示すように、ムーブメント支持部材４０の支持部４０ａの径が、腕時計２０の時針２４，分針２６及び秒針２８の長さよりも小さいので、これら指針２４，２６，２８の先端が支持部４０ａから突出して腕時計２０の裏側から見え、かつ、目盛り２３が太陽電池１０の透明基板１２に設けられているので、腕時計２０の裏側からも時刻を知ることができるという面白さがある。
【００４２】
本発明は、上記したアナログ時計に限らずディジタル時計にも適用が可能である。
図８に、本発明をディジタル時計に適用した実施形態の平面図を示す。ディジタル表示部材７２は、腕時計７０の表示板７１の上に設けても良いが、太陽電池１０の下面（裏面）に設けてもよい。
また、太陽電池１０を構成する透明基板１２に直接ディジタル表示部材７２を形成するようにしてもよい。この場合、透明基板１２として偏光板を使用することで、ディジタル表示部材７２の偏光板を省略することが可能になる。
【００４３】
本発明の好適な実施形態を説明してきたが、本発明は、上記の実施形態により限定されるものではない。
例えば、電子機器として腕時計を例に挙げて説明したが、本発明は置き時計や掛け時計等の他の時計にも適用が可能であり、さらに、時計以外の他の電子機器にも適用が可能である。
【００４４】
また、アナログ時計及びディジタル時計についてのみ説明したが、アナログ・ディジタルコンビネーション時計にも本発明を適用することが可能である。
また、上記の実施形態では、腕時計２０の風防ガラス３４の下に、透明基板１２を基材とする太陽電池１０を設けるものとして説明したが、風防ガラス３４に直接細線状の光発電セル１８を形成することで、腕時計２０の厚みを薄くすることができる。
【００４５】
【発明の効果】
本発明によれば、光発電セルをきわめて細くし、かつ、この光発電セルを表示部材のほぼ全面を横切るように設けることで太陽電池の透明性を向上させることができる。そして、このような透光形太陽電池を用いることで、電子機器、特に時計のデザイン選択の自由度を大幅に向上させることができる。
また、時計の径方向に拡がり、かつ、垂直方向に貫通する空間を形成するとともに、時計の裏蓋にも透明なガラスを用いることで、上側から下側までを見通すことのできる斬新なデザインの時計を得ることができ、利用者の遊び心を満足させることができるようになる。
【図面の簡単な説明】
【図１】  本発明の電子機器に使用される透光形太陽電池の平面図である。
【図２】  図１の太陽電池を、電子機器の一例である腕時計に利用した実施形態にかかり、腕時計の平面図である。
【図３】  図２のＩ−Ｉ方向断面図である。
【図４】  図２の腕時計の分解斜視図で、外装ケースの上側に組み込まれる部材の斜視図である。
【図５】  図２の腕時計の分解斜視図で、外装ケースの下側に組み込まれる見切りリングとムーブメント支持部材の斜視図である。
【図６】  図２の腕時計の分解斜視図で、外装ケースの下側に組み込まれるその他の部材の斜視図である。
【図７】  ムーブメント支持部材、中枠及びムーブメント保持部材を組み付けた状態におけるリブ部分の断面図で、図７（ａ）は図２のII-II断面図、図７（ｂ）は図２のIII-III断面図である。
【図８】  本発明の他の実施形態を説明する平面図である。
【符号の説明】
１０  太陽電池（透光形太陽電池）
１２  透明基板
１４１〜１４４  導電部
１５  接続部
１６ａ，１６ｂ  出力端子
１７  切欠係合部
１８  光発電セル
１９ａ〜１９ｄ  リブ部分
２０  腕時計
２２  表示部材
２３  目盛り
２４  時針
２６  分針
２８  秒針
３０  外装ケース
３０ａ  見切り部
３２  空間部
３４，５６  風防ガラス
３６  太陽電池保持部材
３６ａ  受け部
３８  見切りリング
３８ａ  見切り部
３８ｂ  鍔部
４０  ムーブメント支持部材
４２  ムーブメント
４３ｂ、４３ｄ  内部通路
４４  中枠
４６  導電パターン（導電部材）
５０  ムーブメント保持部材
６０  接続部材
６１，６２  接触子（第１の接触部）
６３，６４  接触子（第２の接触部）
７０  腕時計（他の実施形態）
７１  表示板
７２  ディジタル表示部材
【図１】
0004607277.tif 000002
【図２】
0004607277.tif 000003
【図３】
0004607277.tif 000004
【図４】
0004607277.tif 000005
【図５】
0004607277.tif 000006
【図６】
0004607277.tif 000007
【図７】
0004607277.tif 000008
【図８】
0004607277.tif 000009